(57)【要約】【課題】本発明は表示装置に関する。【解決手段】表示装置は、(1)背面側に配置されて支持または外部衝撃からの保護を行う基板と、(2)複数の画素をそれぞれ含む第１表示領域、第２表示領域、及び、第１表示領域と第２表示領域との間に位置する第３表示領域を含む表示パネルと、(3)基板と、表示パネルの第１表示領域との間に配置され、第１表示領域を通して外部の客体を検知するセンサと、を含む。第１表示領域における第１画素密度は、第２表示領域における第２画素密度より小さく、第３表示領域における画素密度は、第１表示領域からの距離と、第３表示領域からの距離との間の比率（相対的な距離）に応じて異なっている。【選択図】図３
2020204762.tif 000002
【特許請求の範囲】
【請求項１】
基板と、
複数の画素をそれぞれ含む、第１表示領域、第２表示領域、及び、前記の第１表示領域と第２表示領域との間に位置する第３表示領域を含む表示パネルと、
前記基板と、前記表示パネルの前記第１表示領域との間に配置され、前記第１表示領域を通して外部の客体を検知するセンサと、を含み、
前記第１表示領域における第１画素密度は、前記第２表示領域における第２画素密度より小さく、
前記第３表示領域における画素密度は、前記第１表示領域からの距離と、第３表示領域からの距離との間の比率に応じて異なっていることを特徴とする表示装置。
【請求項２】
前記第３表示領域の画素密度は、前記第１表示領域から離れるほど増加することを特徴とする請求項１に記載の表示装置。
【請求項３】
前記第３表示領域の画素密度は、前記第１画素密度より大きく、前記第２画素密度より小さいことを特徴とする請求項２に記載の表示装置。
【請求項４】
前記第１表示領域は、前記画素が配置される画素領域、及び、前記画素が配置されない透過領域を含む複数の画素行を含み、
前記画素行のそれぞれにて、既設定の第１間隔で、前記透過領域が配列されて位置することを特徴とする請求項１に記載の表示装置。
【請求項５】
前記第３表示領域は、前記画素領域、及び、前記透過領域をそれぞれ含む第１〜第ｋ（但し、ｋは１より大きい自然数）サブ領域を含み、
前記第１サブ領域に含まれる画素行には、前記第１間隔より大きい第２間隔で、前記透過領域が配列されて位置し、
前記第ｋサブ領域に含まれる画素行には、前記第２間隔より大きい第３間隔で、前記透過領域が配列されて位置することを特徴とする請求項４に記載の表示装置。
【請求項６】
前記第１サブ領域は前記第１表示領域に隣接し、前記第ｋサブ領域は前記第２表示領域に隣接しており、
前記第１サブ領域から前記第ｋサブ領域へと行くほど、第１方向における前記透過領域の相互間の間隔が増加することを特徴とする請求項５に記載の表示装置。
【請求項７】
前記第１サブ領域から前記第ｋサブ領域へと行くほど、前記第１〜第ｋサブ領域のそれぞれに含まれる前記画素の数が増加し、
前記第１表示領域、前記第２表示領域、及び前記第３表示領域についての前記第１方向における長さが、互いに同一であることを特徴とする請求項６に記載の表示装置。
【請求項８】
同じ映像信号入力に対して、前記第1サブ領域の輝度が、前記第ｋサブ領域の輝度より低いことを特徴とする請求項６に記載の表示装置。
【請求項９】
前記透過領域には、発光素子及びトランジスタが配置されないことを特徴とする請求項５に記載の表示装置。
【請求項１０】
前記第３表示領域は、前記第１表示領域を取り囲むように配置され、
前記第３表示領域は、
前記第１表示領域を取り囲む一連の画素を含む第１サブ領域と、
前記第１サブ領域を取り囲む一連の画素を含む第２サブ領域と、を含み、
前記第１表示領域、前記第１サブ領域、及び前記第２サブ領域は、それぞれ、前記画素が配置される画素領域、及び、前記画素が配置されない透過領域を含み、
前記第１表示領域における、前記画素領域に対する前記透過領域の割合である第１割合が、前記第１サブ領域における、前記画素領域に対する前記透過領域の割合である第２割合より大きく、
前記第２割合が、前記第２サブ領域における、前記画素領域に対する前記透過領域の割合である第３割合より大きく、
前記第１サブ領域における前記透過領域は、前記第１表示領域との境界に沿って形成され、前記第２サブ領域における前記透過領域は、前記第１サブ領域との境界に沿って形成され、
前記第１サブ領域における前記透過領域の相互間の間隔が、前記第２サブ領域における前記透過領域の相互間の間隔より小さいことを特徴とする請求項１に記載の表示装置。
【発明の詳細な説明】
【技術分野】
【０００１】
本発明は表示装置に関し、より詳細には、表示パネル及びセンサを含む表示装置に関する。
【背景技術】
【０００２】
表示装置は、画素（または画素回路）を利用して映像を表示することができる。表示装置は、表示装置の前面（例えば、映像が表示される一面）のベゼル（または枠の部分）にセンサ、カメラなどを含む。例えば、表示装置は、光センサを利用して客体を認識することができ、カメラを利用して写真及び動画を獲得することができる。
【０００３】
一方、表示装置のベゼルが狭くなるほど、ユーザーは、視線を映像（または表示装置の画面）に固定または集中することができる。最近では、表示装置の前面のベゼル（即ち、非表示領域）を最小化または除去し、前面（または、ベゼル）に配置される赤外線センサを再配置するとともに、表示装置の前面の全体に映像を表示する全面ディスプレイ技術に対する研究開発が行われている。
【先行技術文献】
【特許文献】
【０００４】
【特許文献１】韓国特許出願公開第 2017/0113066 号明細書
【特許文献２】韓国特許出願公開第 2018/0050473 号明細書
【特許文献３】韓国特許出願公開第 2018/0057796 号明細書
【発明の概要】
【発明が解決しようとする課題】
【０００５】
本発明の一目的は、第１表示領域から離れるにつれて、第２表示領域における画素密度が減少する画素配列構造を有する表示装置を提供することである。
【０００６】
本発明の他の目的は、第１表示領域から離れるにつれて第２表示領域におけるブラック画素または画素省略部の数が減少する画素配列構造を有する表示装置を提供することである。
【０００７】
但し、本発明の目的は、上述した目的に限定されるものではなく、本発明の思想及び領域から外れない範囲内で多様に拡張されうる。
【課題を解決するための手段】
【０００８】
本発明の一目的を達成すべく、本発明の実施例による表示装置は、(1)基板と、(2)複数の画素をそれぞれ含む第１表示領域、第２表示領域、及び、上記の第１表示領域と第２表示領域との間に位置する第３表示領域を含む表示パネルと、(3)上記基板と、上記表示パネルにおける上記第１表示領域との間に配置され、上記第１表示領域を通して外部の客体を検知するセンサと、を含んでもよい。上記第１表示領域における第１画素密度は、上記第２表示領域における第２画素密度より小さく、上記第３表示領域における画素密度は、上記第１表示領域からの距離及び上記第３表示領域からの距離の相互の比率、すなわち、これらとの相対的な距離に応じて異なってもよい。
【０００９】
また、上記第３表示領域の画素密度は、上記第１表示領域から離れるほど増加することができる。
【００１０】
また、上記第３表示領域の画素密度は上記第１画素密度より大きく、上記第２画素密度より小さくてもよい。
【００１１】
また、上記第１表示領域は、上記画素が配置される画素領域及び上記画素が配置されない透過領域を含む複数の画素行を含んでもよい。上記画素行のそれぞれにおいて、既設定の第１間隔で上記透過領域が配列されて位置してもよい。
【００１２】
また、上記第３表示領域は、上記画素領域及び上記透過領域をそれぞれ含む第１〜第ｋ（但し、ｋは１より大きい自然数）サブ領域を含んでもよい。
【００１３】
また、上記第１サブ領域に含まれる画素行には、上記第１間隔より大きい第２間隔で上記透過領域が配列されて位置し、上記第ｋサブ領域に含まれる画素行には、上記第２間隔より大きい第３間隔で上記透過領域が配列されて位置してもよい。
【００１４】
また、上記第１サブ領域は上記第１表示領域に隣接し、上記第ｋサブ領域は上記第２表示領域に隣接しており、上記第１サブ領域から上記第ｋサブ領域に行くほど、第１方向における上記透過領域の相互間の間隔が増加してもよい。
【００１５】
また、上記第１サブ領域から上記第ｋサブ領域へと行くほど、上記第１〜第ｋサブ領域のそれぞれに含まれる上記画素の数が増加してもよい。
【００１６】
また、上記第１表示領域、上記第２表示領域、及び上記第３表示領域についての上記第１方向における長さは、互いに同一であってもよい。
【００１７】
また、同じ映像信号入力に対して、上記第1サブ領域の輝度が、上記第ｋサブ領域の輝度より低くてもよい。
【００１８】
また、上記透過領域には、発光素子及びトランジスタが配置されなくてもよい。
【００１９】
また、上記第３表示領域は、上記第１表示領域を取り囲むように位置してもよい。
【００２０】
また、上記第３表示領域は、上記第１表示領域を取り囲む画素を含む第１サブ領域と、上記第１サブ領域を取り囲む画素を含む第２サブ領域と、を含んでもよい。
【００２１】
また、上記第１表示領域、上記第１サブ領域、及び上記第２サブ領域はそれぞれ上記画素が配置される画素領域及び上記画素が配置されない透過領域を含んでもよい。
【００２２】
また、上記第１表示領域における、上記画素領域に対する上記透過領域の割合である第１割合が、上記第１サブ領域における、上記画素領域に対する上記透過領域の割合である第２割合より、大きくてもよい。上記第２割合が、上記第２サブ領域における上記画素領域に対する上記透過領域の割合である、第３割合より大きくてもよい。
【００２３】
また、上記第１サブ領域の上記透過領域は、上記第１表示領域との境界に沿って形成され、上記第２サブ領域の上記透過領域は、上記第１サブ領域との境界に沿って形成され、上記第１サブ領域における上記透過領域の相互間の間隔が、上記第２サブ領域における透過領域の相互間の間隔より小さくてもよい。
【００２４】
本発明の一目的を達成すべく、本発明の実施例による表示装置は、基板と、複数の画素をそれぞれ含む第１表示領域、第２表示領域、及び、上記の第１第２表示領域と第２表示領域との間に位置する第３表示領域を含む表示パネルと、上記基板と上記表示パネルの上記第１表示領域との間に配置され、上記第１表示領域を介して外部の客体を検知するセンサと、を含んでもよい。上記第１表示領域は、上記画素が配置される画素領域及び上記画素が配置されない透過領域を含んでもよい。上記第２表示領域及び第３表示領域は上記透過領域を含まない。上記第３表示領域は、映像を表示する有効画素及びブラック階調を表示するか、発光しないブラック画素を含み、上記ブラック画素の数は上記第１表示領域から離れるほど減少することができる。
【００２５】
また、上記透過領域には発光素子及び画素回路が配置されず、上記ブラック画素は上記発光素子及び上記画素回路を含んでもよい。
【００２６】
また、第３表示領域は、上記第１表示領域の少なくとも一部を取り囲む第１サブ領域と、上記第１サブ領域の外郭に位置する第２サブ領域と、を含んでもよい。上記第１サブ領域に含まれる上記有効画素に対する上記ブラック画素の割合は、上記第２サブ領域に含まれる上記有効画素に対する上記ブラック画素の割合より大きくてもよい。
【００２７】
また、上記表示装置は、上記画素にデータ信号を供給するデータ駆動部をさらに含んでもよい。上記データ駆動部は、上記ブラック画素に上記ブラック階調に対応するブラックデータ信号のみを供給することができる。
【発明の効果】
【００２８】
本発明の実施例による表示装置は、第１表示領域の下部に光検知方式のセンサを含み、第１表示領域及び第２表示領域との相対的な距離に応じて画素密度が変わる第３表示領域を含むことにより、第１表示領域と第２表示領域との間の急激な輝度偏差の視認が最小化（または緩和）することができる。従って、カメラや生体センサの機能とともに前面ディスプレイとしての機能を具現する表示装置についての映像品質が改善されうる。
【００２９】
但し、本発明の効果は、上述した効果に限定されるものではなく、本発明の思想及び領域から外れない範囲内で多様に拡張できる。
【図面の簡単な説明】
【００３０】
【図１】本発明の実施例による表示装置を示したものである。
【図２】図１の表示装置の一例を示す断面図である。
【図３】図１の表示装置の表示領域の一例を概略的に示したものである。
【図４ａ】図３の表示領域に含まれる画素領域と透過領域の一部の一例を概略的に示す断面図である。
【図４ｂ】図３の表示領域に含まれるＥＡ領域の一例を概略的に示す斜視図である。
【図５】表示領域による輝度差の一例を示すグラフである。
【図６ａ】図３の表示領域に含まれる第１表示領域の一例を概略的に示したものである。
【図６ｂ】図３の表示領域に含まれる第１表示領域の一例を概略的に示したものである。
【図７ａ】図１の表示装置の一例を示すブロック図である。
【図７ｂ】図１の表示装置の一例を示すブロック図である。
【図８】図１の表示装置の表示領域の一例を概略的に示したものである。
【図９】図１の表示装置の表示領域の一例を概略的に示したものである。
【図１０】図１の表示装置の表示領域の一例を概略的に示したものである。
【図１１】図１の表示装置の表示領域の一例を概略的に示したものである。
【発明を実施するための形態】
【００３１】
以下、添付した図面を参照して本発明の好ましい実施例をより詳細に説明する。図面上における同じ構成要素に対しては同じ参照符号を使用し、同じ構成要素に対する重複した説明は省略する。
【００３２】
図１は本発明の実施例による表示装置を示したものであり、図２は図１の表示装置の一例を示す断面図である。
【００３３】
図１及び図２を参照すると、表示装置１０００は、表示パネル１００、基板２００、及び少なくとも１つのセンサ３００を含んでもよい。一実施例において、表示装置１０００は、タッチセンサ層４００及びウィンドウ層５００をさらに含んでもよい。
【００３４】
表示装置１０００は、スマートフォン、タブレット、スマートパッド、ＴＶ、モニターなどの様々な電子機器に適用することができる。
【００３５】
基板２００は表示パネル１００及びセンサ３００を支持することができる。一実施例において、基板２００は、ブラケット、ケースなどであってもよく、プラスチックまたは金属素材を含んでもよい。基板２００は、表示装置１０００の背面の外形を構成し、電子機器の内部の構成要素を、外部のストレスから保護することができる。
【００３６】
一実施例において、表示パネル１００は、平板表示パネルまたはフレキシブル表示パネルであってもよい。例えば、表示パネル１００は、ガラス、プラスチックなどからなるリジッドベース層またはプラスチックフィルムのような可撓性ベース層を含んでもよい。表示パネル１００は、ベース層上に配置される画素回路（複数のトランジスタ）と有機発光ダイオードのような発光素子を利用して映像を表示することができる。発光素子と画素回路は、薄膜封止層で覆われてもよい。薄膜封止層は、水分と酸素を含む外気環境から、発光素子を密封させて、特性劣化を抑制することができる。ここで、発光素子は有機発光ダイオードに限定されるものではない。例えば、発光素子は、無機発光材料を含む無機発光素子、または、量子ドットを利用して出射される光の波長を変化させて発光する発光素子（量子ドットディスプレイ素子）であってもよい。
【００３７】
表示パネル１００は、複数の画素を含む表示領域ＤＡ及び表示領域ＤＡの少なくとも一側に位置する非表示領域ＮＤＡを含んでもよい。表示パネル１００は、非表示領域ＮＤＡ（例えば、ベゼル）を最小化するために、表示パネル１００の前面の全体が、実質的に表示領域ＤＡに対応することができる。
【００３８】
図１には、表示パネル１００の前面の一部に非表示領域ＮＤＡが存在するものが示されているが、これに限定されるものではない。例えば、表示領域ＤＡが表示パネル１００の少なくとも一の側面にまで延長されて、エッジディスプレイが具現されてもよく、この場合、非表示領域ＮＤＡは表示パネル１００の側面の一部のみに存在することもできる。
【００３９】
表示領域ＤＡは第１〜第３表示領域ＤＡ１、ＤＡ２、ＤＡ３を含んでもよい。第１表示領域ＤＡ１は、センサ３００に重なり合う部分を含んでもよい。第１表示領域ＤＡ１は第１画素密度を有してもよい。第２表示領域ＤＡ２は、表示領域ＤＡの殆どの面積を占有することができる。第２表示領域ＤＡ２は第２画素密度を有してもよく、第２画素密度は、第１画素密度より大きく構成されてもよい。
【００４０】
ここで、画素密度は、該当表示領域の全体の面積に対する、実際の画素が配置される部分の総面積と定義されるか、既設定の単位面積に含まれる画素の総面積と定義されうる。ここで、各画素が配置される部分の面積は、各画素に含まれる発光素子の発光面の面積であってもよい。例えば、画素が有機発光素子を含む場合、画素の部分の面積は、格子状の画素区画膜の隙間から露出される、アノード電極の面積または発光層の面積であってもよい。
【００４１】
これにより、第１表示領域ＤＡ１の光透過率が第２表示領域ＤＡ２の光透過率より高く、第１表示領域ＤＡ１の下方に配置されるセンサ３００により、所定の検知動作が遂行されうる。但し、第１画素密度が第２画素密度より低いため、第１表示領域ＤＡ１の輝度が第２表示領域ＤＡ２の輝度より低くなり、このような輝度差がユーザーに視認されて不便をもたらしうる。
【００４２】
第３表示領域ＤＡ３は第１表示領域ＤＡ１と第２表示領域ＤＡ２との間に配置されてもよい。第３表示領域の画素密度は、第１表示領域ＤＡ１及び第２表示領域ＤＡ２との相対的な距離に応じて異なりうる。すなわち、第１表示領域ＤＡ１からの距離と、第２表示領域ＤＡ２からの距離との間の比率に応じて異なりうる。一実施例において、第３表示領域の画素密度は、第１表示領域ＤＡ１から離れるほど増加するようにすることができる。また、第３表示領域ＤＡ３の画素密度は、第１画素密度より大きく、第２画素密度より小さくてもよい。
【００４３】
第３表示領域ＤＡ３の画素密度が、第２表示領域ＤＡ２に近づくほど次第に増加するため、第１及び第２表示領域ＤＡ１、ＤＡ２の相互間の輝度偏差が、第３表示領域ＤＡ３にて次第に変わることができる。従って、第１表示領域ＤＡ１と第２表示領域ＤＡ２との間の急激な輝度変化が視認されず、映像品質が改善されうる。
【００４４】
一実施例において、第１〜第３表示領域ＤＡ１、ＤＡ２、ＤＡ３は、第１方向ＤＲ１における幅が実質的に同一であってもよい。例えば、第１方向ＤＲ１は、画素行方向（即ち、走査線の進行方向または１つの走査線に共通して連結される画素の配列方向）に対応しうる。このように対応する場合、第１画素密度、第２画素密度、及び第３表示領域ＤＡ３の画素密度は、それぞれ、画素行ごとに算出されうるのであり、それぞれの一の画素行に対応する画素の数から類推することができる。
【００４５】
センサ３００は、基板２００と表示パネル１００との間に配置されてもよい。即ち、センサ３００は、表示パネル１００の背面の下方に位置することができる。センサ３００は、平面図にて、第１表示領域ＤＡ１に重なるように配置してもよい。図１の平面図には、第１表示領域ＤＡ１が、センサ３００の配置領域よりも大きい面積で形成されたものが示されているが、第１表示領域ＤＡ１と、センサ３００の配置領域との関係はこれに限定されない。例えば、第１表示領域ＤＡ１と、センサ３００が実質的に同じ面積で形成されるか、第１表示領域ＤＡ１がセンサ３００より小さい面積で形成されてもよい。
【００４６】
一実施例において、センサ３００は光検知（例えば、赤外線検知）方式の光学式センサであってもよい。一実施例において、センサ３００は、指紋センサ、虹彩認識センサ、動脈センサなどの生体情報センサ３１０を含んでもよい。但し、これは例示的なものであり、光検知方式のセンサ３００は、ジェスチャーセンサ、モーションセンサ、近接センサ、照度センサ、イメージセンサなどをさらに含んでもよい。また、カメラ３２０などの光学素子や、スピーカー（または、受話器、もしくはレシーバー(受信機)）などの電子部品が、第１表示領域ＤＡ１の下側に配置されてもよい。
【００４７】
光検知方式のセンサ３００に対応する第１表示領域ＤＡ１の開口率（透過率）が高いほど、センサ３００の感度及び精度が増加しうる。従って、第１表示領域ＤＡ１に配置される画素は、他の表示領域より低い画素密度で配置される。例えば、第１表示領域ＤＡ１の単位面積当たりの画素数（ｐｉｘｅｌ  ｐｅｒ  ｉｎｃｈ、ＰＰＩ）は、第２表示領域ＤＡ２の単位面積当たりの画素数より少なくてもよい。
【００４８】
一実施例において、タッチセンサ層４００は、表示パネル１００上に配置されてもよい。タッチセンサ層４００は、表示パネル１００の表示領域ＤＡの全面に対応して配置されるか、表示領域ＤＡの全体をカバーしつつ表示領域ＤＡよりも広い面積で形成されてもよい。実施例に応じて、タッチセンサ層４００は静電容量方式、抵抗膜方式などで駆動されてもよい。
【００４９】
タッチセンサ層４００は、接着部材を介して表示パネル１００上に貼り付けられて配置されるか、表示パネル１００を製造する際に、パターニングなどの連続工程を通じて表示パネル１００上に直接形成されて配置されてもよい。但し、これは例示的なものであり、タッチセンサ層４００は、表示パネル１００の内部に配置されてもよい。
【００５０】
ウィンドウ層５００は、タッチセンサ層４００上に配置されてもよい。ウィンドウ層５００は、表示装置１０００の前面（即ち、表示面）の最も外側に配置されてもよく、外部からの衝撃、スクラッチなどから表示装置１０００の内部の構成要素を保護することができる。ウィンドウ層５００は、ガラス板及びポリマーフィルムの少なくとも一方で形成されてもよい。例えば、ウィンドウ層５００は、ポリイミド（Ｐｏｌｙｉｍｉｄｅ）、ポリエチレンテレフタレート（Ｐｏｌｙｅｔｈｙｌｅｎｅ  ｔｅｒｅｐｈｔｈａｌａｔｅ；ＰＥＴ）、または他のポリマー物質のうちの少なくとも１つを含んでもよい。ウィンドウ層５００は透明な材料からなるのであってもよい。
【００５１】
図３は、図１の表示装置の表示領域の一例を概略的に示したものであり、図４ａは、図３の表示領域に含まれる、画素領域と透過領域の一部についての一例を概略的に示す断面図であり、図４ｂは、図３の表示領域に含まれるＥＡ領域についての一例を概略的に示す斜視図である。
【００５２】
図１、図３、図４ａ、及び図４ｂを参照すると、表示パネル１００は、第１〜第３表示領域ＤＡ１、ＤＡ２、ＤＡ３を含んでもよい。
【００５３】
一実施例では、第１〜第３表示領域ＤＡ１、ＤＡ２、ＤＡ３において第１方向ＤＲ１に配列される画素ＰＸによって画素行が定義され、第１方向ＤＲ１と交差する第２方向ＤＲ２に配列される画素ＰＸによって画素列が定義されるのでありうる。
【００５４】
第１表示領域ＤＡ１はセンサ３００に重なり合う部分を含んでもよい。一実施例において、第１表示領域ＤＡ１は、画素ＰＸが配置される画素領域ＰＡと、画素が配置されない透過領域ＴＡを含んでもよい。
【００５５】
一実施例において、透過領域ＴＡには画素ＰＸを構成する発光素子及びトランジスタなどが配置されない。即ち、画素ＰＸが配置されないということは、発光素子及び画素回路を構成するトランジスタが配置（または形成）されないと理解することができる。
【００５６】
一実施例において、第１表示領域ＤＡ１に含まれる画素領域ＰＡと透過領域ＴＡは、図４ａに示したような第３方向ＤＲ３への積層構造を有することができる。ケースなどの基板２００上に配置されるセンサ３００は、画素領域ＰＡと透過領域ＴＡの両方に重なってもよい。
【００５７】
表示パネル１００は、ベース層２１０、画素回路層ＰＣＬ、発光素子層ＥＭＬ、及び封止層ＥＣＬを含んでもよい。
【００５８】
ベース層２１０はセンサ３００上に配置されてもよい。ベース層２１０は、ガラス、透明プラスチックといった透明絶縁素材を含んでもよい。
【００５９】
ベース層２１０上の画素領域ＰＡに、画素回路層ＰＣＬが配置されてもよい。画素回路層ＰＣＬは、発光素子に連結される少なくとも１つのトランジスタ、キャパシタ、及び信号配線を含む。画素回路層ＰＣＬは、半導体層、複数の絶縁層、及び複数の導電層の相互の積層によって形成されてもよい。また、図４ｂに示したように、画素回路層ＰＣＬには、複数の信号配線ＣＬ１、ＣＬ２、ＣＬ３が連結されてもよい。例えば、信号配線ＣＬ１、ＣＬ２、ＣＬ３は、走査信号を伝達する走査線、データ信号を伝達するデータ線、発光制御信号を伝達する発光制御線、電源電圧を伝達する電源線などを含んでもよい。
【００６０】
一実施例において、画素回路層ＰＣＬ及び信号配線ＣＬ１、ＣＬ２、ＣＬ３は、透過領域ＴＡを回避するようにして配置されてもよい。但し、これは例示的なものであり、信号配線ＣＬ１、ＣＬ２、ＣＬ３の少なくとも一部は、透過領域ＴＡを通るように形成されてもよい。
【００６１】
画素回路層ＰＣＬ上には、発光素子層ＥＭＬが配置されてもよい。発光素子層ＥＭＬは、複数の電極層及び発光層を含んでもよい。発光素子層ＥＭＬも、透過領域ＴＡを回避するようにして配置されうる。
【００６２】
例えば、発光素子層ＥＭＬが有機発光素子からなる場合、発光素子層ＥＭＬは、第１電極層（アノード電極）、第２電極層（カソード電極）、及び、第１電極層と第２電極層との間に位置する有機発光層を含んでもよい。但し、第２電極層は、共通電極層として形成されてもよく、透明電極として透過領域ＴＡまで延長されて配置されてもよい。
【００６３】
一実施例では、図４ｂに示したように、画素領域ＰＡに含まれる各画素ＰＸは、複数の副画素Ｒ、Ｇ、Ｂを含んでもよい。これら副画素Ｒ、Ｇ、Ｂは、それぞれ異なる色で発光することができる。例えば、副画素Ｒ、Ｇ、Ｂは、それぞれが赤色光、緑色光、及び青色光の何れか１つで発光することができる。
【００６４】
ベース層２１０上の透過領域ＴＡには透明絶縁層２３０が配置されてもよい。一実施例において、透明絶縁層２３０は、少なくとも１つの無機絶縁層、及び、少なくとも１つの有機絶縁層が積層された構造であってもよい。
【００６５】
一方、図４ｂに示したように、開口率の向上のために、信号配線ＣＬ１、ＣＬ２、ＣＬ３も、透過領域ＴＡを回避するようにして配置されてもよい。但し、これは例示的なものであり、信号配線ＣＬ１、ＣＬ２、ＣＬ３の少なくとも一部が、透過領域ＴＡを通るように配置されてもよく、透過領域ＴＡを通る信号配線ＣＬ１、ＣＬ２、ＣＬ３は、透明導電物質からなるのであってもよい。
【００６６】
発光素子層ＥＭＬ及び透明絶縁層２３０上に、封止層ＥＣＬが配置されてもよい。封止層ＥＣＬは、少なくとも１つの無機絶縁層及び少なくとも１つの有機絶縁層が交互に配置されて形成されてもよい。
【００６７】
封止層ＥＣＬ上には、順に、タッチセンサ層４００及びウィンドウ層５００が配置されてもよい。
【００６８】
このように、透過領域ＴＡは、表示領域ＤＡ内で画素ＰＸが除去された領域として理解することができ、透過領域ＴＡを通過する光を利用して、センサ３００が、生体情報、近接情報、ジェスチャー情報などを検知することができる。
【００６９】
一実施例において、第１表示領域ＤＡ１は複数の画素行を含んでもよい。第１表示領域ＤＡ１の各画素行にて、透過領域ＴＡは、第１間隔Ｗ１で配列されて位置することができる。例えば、第１間隔Ｗ１は１つの画素領域ＰＡの幅に対応することができる。この場合、第１表示領域ＤＡ１に含まれる第１画素行には、偶数番目の画素列に対応する位置に画素ＰＸが配置され、第１表示領域ＤＡ１の第２画素行には、奇数番目の画素列に対応する位置に画素ＰＸが配置されるのでありうる。
【００７０】
第１表示領域ＤＡ１の透過率を確保しながら映像の品質低下を最小化するために、画素領域ＰＡと透過領域ＴＡは、図３のようなチェックパターン（長方形または正方形の市松模様）をなすように、交互に配置されてもよい。即ち、画素領域ＰＡと透過領域ＴＡとは、第１方向ＤＲ１及び第２方向ＤＲ２のいずれにも、交互に配置されうる。但し、これは例示的なものであり、第１表示領域ＤＡ１の画素領域ＰＡと透過領域ＴＡの位置及び配置関係はこれに限定されるものではない。
【００７１】
第２表示領域ＤＡ２は、表示領域ＤＡの殆どの領域を占める。一実施例において、第２表示領域ＤＡ２は透過領域ＴＡを含まない。
【００７２】
図３に示したように、第１表示領域ＤＡ１の第１画素密度は、第２表示領域ＤＡ２の第２画素密度の約半分であってもよい。例えば、第１表示領域ＤＡ１の１つの画素行に含まれる画素ＰＸの数は、第２表示領域ＤＡ２の１つの画素行に含まれる画素ＰＸの数の半分であってもよい。
【００７３】
第３表示領域ＤＡ３は、第１表示領域ＤＡ１と第２表示領域ＤＡ２との間に位置してもよい。第３表示領域ＤＡ３は、第１表示領域ＤＡ１と第２表示領域ＤＡ２との間の輝度の偏差（段差）が視認されることを緩和させることができる。例えば、第３表示領域ＤＡ３は、既設定の位置に透過領域ＴＡを含むことができる。
【００７４】
第３表示領域ＤＡ３の画素密度は、第１表示領域ＤＡ１から離れるほど増加するようにすることができる。一実施例において、第３表示領域ＤＡ３は、第１〜第ｋ（但し、ｋは１より大きい自然数）サブ領域ＳＡ１〜ＳＡｋを含んでもよい。第１サブ領域ＳＡ１は、第１〜第ｋサブ領域ＳＡ１〜ＳＡｋのうちで第１表示領域ＤＡ１に最も近いものであり、第ｋサブ領域ＳＡｋは、第１〜第ｋサブ領域ＳＡ１〜ＳＡｋのうちで、第２表示領域ＤＡ２に最も近いものであってもよい。
【００７５】
一実施例において、第１〜第ｋサブ領域ＳＡ１〜ＳＡｋは、いずれも、１つの画素行に対応することができる。第１サブ領域ＳＡ１から第ｋサブ領域ＳＡｋへと行くほど、第１方向ＤＲ１における上記透過領域の相互間の間隔（即ち、Ｗ２、Ｗ３、Ｗ４、Ｗ５）が次第に増加するようにすることができる。
【００７６】
例えば、第１サブ領域ＳＡ１には透過領域ＴＡが第２間隔Ｗ２で配置され、第２サブ領域ＳＡ２には透過領域ＴＡが第３間隔Ｗ３で配置され、第ｋサブ領域ＳＡｋには透過領域ＴＡが第５間隔Ｗ５で配置されてもよい。第３間隔Ｗ３は第２間隔Ｗ２より大きく、第５間隔Ｗ５は第３間隔Ｗ３より大きい。
【００７７】
例えば、第１サブ領域ＳＡ１に含まれる、一の透過領域ＴＡと、その次の透過領域ＴＡとの間には３つの画素ＰＸが連続して配置され、第２サブ領域ＳＡ２に含まれる、一の透過領域ＴＡと、その次の透過領域ＴＡとの間には７つの画素ＰＸが連続して配置されるのであってもよい。第ｋサブ領域ＳＡｋに含まれる、一の透過領域ＴＡと、その次の透過領域ＴＡとの間には、７つよりも多い数の画素ＰＸが連続して配置されうる。
【００７８】
即ち、第１サブ領域ＳＡ１から上記第ｋサブ領域ＳＡｋへと行くほど、互いに同じ面積の第１〜第ｋサブ領域ＳＡ１〜ＳＡｋに、それぞれ含まれる画素ＰＸの数が増加するようにすることができる。例えば、第１サブ領域ＳＡ１における、画素領域ＰＡに対する透過領域ＴＡの割合が、第２サブ領域ＳＡ２における、画素領域ＰＡに対する透過領域ＴＡの割合よりも大きくてもよい。
【００７９】
従って、第１サブ領域ＳＡ１から第ｋサブ領域ＳＡｋへと行くにつれて映像の輝度が次第に増加するようにすることができる。
【００８０】
一方、図３に示した透過領域ＴＡの配置は例示的なものであり、第３表示領域ＤＡ３に配置される透過領域ＴＡの位置、間隔、及び大きさは、これに限定されるものではない。第３表示領域ＤＡ３は、第１表示領域ＤＡ１と第２表示領域ＤＡ２との間の輝度の偏差（段差）の視認を緩和することができる画素ＰＸと透過領域ＴＡの配置構造を含むことができる。
【００８１】
図５は、表示領域による輝度差の一例を示すグラフである。
【００８２】
図１、図３、及び図５を参照すると、同じ映像に対して第１〜第３表示領域ＤＡ１〜ＤＡ３の輝度が異なってもよい。
【００８３】
一実施例において、第１表示領域ＤＡ１における第１画素密度は、第２表示領域ＤＡ２における第２画素密度より小さくてもよい。従って、第１表示領域ＤＡ１の輝度は、第２表示領域ＤＡ２の輝度より低い。
【００８４】
第３表示領域ＤＡ３の画素密度は、第１表示領域ＤＡ１から第２表示領域ＤＡ２へと行くほど高くなってもよい。従って、第３表示領域ＤＡ３における輝度は、第２表示領域ＤＡ２に近づくにつれて次第に増加するようにすることができる。図５には、第３表示領域ＤＡ３における輝度(luminance)が、位置(position)に応じて直線的に変化することが示されているが、第３表示領域ＤＡ３における輝度は、第２表示領域ＤＡ２へと近づくにつれて非線形的に増加してもよい。
【００８５】
上述したように、本発明の実施例による、表示領域に下方から重なるセンサ３００を含む表示装置１０００は、第１表示領域ＤＡ１からの相対的な距離に応じて画素密度が変化していく第３表示領域ＤＡ３を含んでおり、このことにより、第１表示領域ＤＡ１と第２表示領域ＤＡ２との間の急激な輝度偏差の視認を最小化（または緩和）することができる。従って、カメラや生体センサの機能を具現するとともに前面ディスプレイを具現する表示装置１０００において、映像品質が改善されうる。
【００８６】
図６ａ及び図６ｂは、図３の表示領域に含まれる第１表示領域の一例を概略的に示したものである。
【００８７】
図３、図６ａ、及び図６ｂを参照すると、第１表示領域ＤＡ１は、画素ＰＸを含む画素領域ＰＡと、外部の光をセンサ（図１の３００）に透過させる透過領域ＴＡと、を含んでもよい。
【００８８】
画素ＰＸは、複数の副画素を含んでもよい。一実施例において、図６ａに示したように、画素ＰＸ（または１つの画素領域ＰＡ）は、異なる色を発光する第１〜第３副画素ＳＰＸ１、ＳＰＸ２、ＳＰＸ３を含んでもよい。第１〜第３副画素ＳＰＸ１、ＳＰＸ２、ＳＰＸ３はストライプパターンで配置されてもよい。例えば、第１副画素ＳＰＸ１は赤色副画素であり、第２副画素ＳＰＸ２は緑色副画素であり、第３副画素ＳＰＸ３は青色副画素であってもよい。
【００８９】
一実施例において、図６ｂに示したように、画素ＰＸ（または１つの画素領域ＰＡ）は第１〜第４副画素ＳＰＸ１、ＳＰＸ２、ＳＰＸ３、ＳＰＸ４を含んでもよい。例えば、第１副画素ＳＰＸ１は赤色副画素であり、第２副画素ＳＰＸ２は緑色副画素であり、第３副画素ＳＰＸ３は青色副画素であり、第４副画素ＳＰＸ４緑色副画素であってもよい。
【００９０】
但し、これは例示的なものであり、副画素の配置及び発光される光の色はこれに限定されない。また、副画素のうちの少なくとも１つの面積は、他のいずれかと相違してもよい。
【００９１】
図７ａは、図１の表示装置の一例を示すブロック図である。
【００９２】
図７ａにおいて、図１及び図３を参照して説明した、同一または類似する構成要素には同じ参照符号を使用し、重複する説明は省略する。
【００９３】
図１、図３、及び図７ａを参照すると、表示装置１０００は、表示パネル１００、センサ３００、及びパネル駆動部を含んでもよい。パネル駆動部は、走査駆動部(scan driver)２０、データ駆動部(data driver)３０、及びタイミング制御部(timing controller)４０を含んでもよい。
【００９４】
一実施例において、表示装置１０００は、画素ＰＸに発光制御信号を供給する発光駆動部と、画素ＰＸに所定の電源電圧ＶＤＤ、ＶＳＳを供給する電源供給部と、をさらに含んでもよい。
【００９５】
一実施例において、センサ３００は光検知センサであって、表示パネル１００の第１表示領域ＤＡ１の下側に配置されてもよい。
【００９６】
表示パネル１００は第１〜第３表示領域ＤＡ１、ＤＡ２、ＤＡ３を含んでもよい。一実施例において、第１〜第３表示領域ＤＡ１、ＤＡ２、ＤＡ３についての第１方向ＤＲ１における長さは同一であってもよい。但し、第１〜第３表示領域ＤＡ１、ＤＡ２、ＤＡ３における画素密度は、互いに異なってもよい。
【００９７】
第１表示領域ＤＡ１は、第１〜第ｐ（但し、ｐは１より大きい自然数）走査線ＳＬ１〜ＳＬｐにそれぞれ連結される第１〜第ｐ画素行を含んでもよい。一実施例において、第１〜第ｐ走査線ＳＬ１〜ＳＬｐには、それぞれｉ個の（ｉは１より大きい自然数）画素ＰＸが連結されてもよい。
【００９８】
第３表示領域ＤＡ３は、第ｐ＋１〜第ｑ（但し、ｑはｐ＋１より大きい自然数）走査線ＳＬｐ＋１〜ＳＬｑにそれぞれ連結される第ｐ＋１〜第ｑ画素行を含んでもよい。一実施例において、第ｐ＋１〜第ｑ走査線ＳＬｐ＋１〜ＳＬｑには、互いに異なる数の画素ＰＸが連結されてもよい。例えば、第ｐ＋１走査線ＳＬｐ＋１にはｊ個（但し、ｊはｉより大きい自然数）の画素ＰＸが連結され、第ｑ走査線ＳＬｑにはｋ個（但し、ｋはｊより大きい自然数）の画素ＰＸが連結されてもよい。即ち、第ｑ走査線ＳＬｑに連結される画素ＰＸの数が、第ｐ＋１走査線ＳＬｐ＋１に連結される画素ＰＸの数より多くてもよい。これと共に、第ｑ画素行に対応する透過領域ＴＡの相互間の間隔が、第ｐ＋１画素行に対応する透過領域ＴＡの相互間の間隔より、広くてもよい。
【００９９】
第２表示領域ＤＡ２は、実質的に表示領域の大部分を占めることができる。第２表示領域ＤＡ２は、第ｑ＋１〜第ｎ（但し、ｎはｑ＋１より大きい自然数）走査線ＳＬｑ＋１〜ＳＬｎにそれぞれ連結される第ｑ＋１〜第ｎ画素行を含んでもよい。
【０１００】
第ｐ＋１〜第ｎ走査線ＳＬｐ＋１〜ＳＬｎには、それぞれｍ個の（但し、ｍは１より大きい自然数）画素ＰＸが連結されてもよい。例えば、第ｎ走査線ＳＬｎに連結される画素ＰＸの数は、第１走査線ＳＬ１に連結される画素ＰＸの数の２倍であってもよい。また、第２表示領域ＤＡ２は透過領域ＴＡを含まない。
【０１０１】
走査駆動部２０は、第１制御信号ＳＣＳに基づいて第１〜第ｎ走査線ＳＬ１〜ＳＬｎに走査信号を供給することができる。一実施例において、走査駆動部２０は、走査信号（即ち、ゲートオンレベルを有する走査信号）を画素ＰＸの全体に同時に提供するか、画素行の単位で、順に、第１〜第ｎ走査線ＳＬ１〜ＳＬｎに提供することができる。
【０１０２】
データ駆動部３０は、タイミング制御部４０から提供される第２制御信号ＤＣＳ及び映像データＤＡＴＡに基づいてデータ線ＤＬ１〜ＤＬｍにデータ信号（データ電圧）を提供することができる。例えば、データ駆動部３０は、デジタル形式の映像データＤＡＴＡをアナログ形式のデータ信号に変換し、第１〜第ｍデータ線ＤＬ１〜ＤＬｍを介して画素ＰＸに上記データ信号を提供することができる。映像データＤＡＴＡは、各画素ＰＸに対応する階調値を含む。
【０１０３】
タイミング制御部４０は、外部のグラフィックコントローラ（不図示）から、入力映像データ、垂直同期信号、水平同期信号、メインクロック信号及びデータイネーブル信号などを受信し、これらの信号に基づいて、第１及び第２制御信号ＳＣＳ、ＤＣＳ及び映像データＤＡＴＡを生成することができる。
【０１０４】
図７ｂは、図１の表示装置の一例を示すブロック図である。
【０１０５】
図７ｂにおいて、図７ａを参照して説明した、同一または類似する構成要素には、同じ参照符号を使用し、重複する説明は省略する。
【０１０６】
図３及び図７ｂを参照すると、表示装置１００１は、表示パネル１００、センサ３００、及びパネル駆動部を含んでもよい。パネル駆動部は、走査駆動部２０、データ駆動部３０、及びタイミング制御部４０を含んでもよい。
【０１０７】
一実施例において、第３表示領域ＤＡ３及び第２表示領域ＤＡ２は透過領域ＴＡを含まない。第３表示領域ＤＡ３は、有効画素ＰＸ及びブラック画素ＢＰを含んでもよい。即ち、第３表示領域ＤＡ３は、実質的に第２表示領域ＤＡ２と同じ画素配列を含んでもよい。
【０１０８】
有効画素ＰＸは映像を表示する一般的な画素であり、ブラック画素ＢＰは、ブラック階調を表示するか、発光しない。例えば、第３表示領域ＤＡ３に含まれるブラック画素ＢＰは、図３及び図７ａの第３表示領域ＤＡ３の透過領域ＴＡを代替することができる。従って、ブラック画素ＢＰの数は、第１表示領域ＤＡ１から離れるほど減少することができる。
【０１０９】
例えば、図３の第１〜第ｋサブ領域ＳＡ１〜ＳＡｋの透過領域ＴＡは、ブラック画素ＢＰで代替されてもよい。第１サブ領域ＳＡ１に含まれる有効画素ＰＸに対するブラック画素ＢＰの割合は、第２サブ領域ＳＡ２に含まれる有効画素ＰＸに対するブラック画素ＢＰの割合より大きくてもよい。
【０１１０】
一実施例において、ブラック画素ＢＰは走査線及び／またはデータ線との連結が切れた状態で配置されてもよい。従って、ブラック画素ＢＰは実質的な画素の機能を遂行しない。これにより、第３表示領域ＤＡ３の輝度は、第１表示領域ＤＡ１に近づくほど減少することができる。
【０１１１】
一実施例において、ブラック画素ＢＰはブラック映像のみを表示することができる。例えば、タイミング制御部４０はブラック画素ＢＰに対応するブラック階調の映像データをデータ駆動部３０に供給し、データ駆動部３０は、ブラック階調の映像データをブラックデータ信号（ブラックデータ電圧）に変換して、フレーム毎のブラック画素ＢＰに供給することができる。これにより、第３表示領域ＤＡ３において、表示装置１００１は領域に応じて輝度を次第に下げる効果を有することができる。
【０１１２】
このように、本実施例による表示装置１００１は、第３表示領域ＤＡ３における画素ＰＸ及び信号配線の配置の大きな変更なしに、第３表示領域ＤＡ３の領域別の輝度が異なるように調整することができる。従って、製造費用を節減することができる。
【０１１３】
一実施例において、第３表示領域ＤＡ３には、図７ａの透過領域ＴＡ及び図７ｂのブラック画素ＢＰ方式が同時に適用されてもよい。
【０１１４】
図８は、図１の表示装置の表示領域の一例を概略的に示したものである。
【０１１５】
図８では、図３を参照して説明した構成要素に対して同じ参照符号を使用し、当該構成要素に対する重複説明は省略する。また、図８の表示パネルは、第３表示領域ＤＡ３の構成を除き、図３の表示パネルと実質的に同一または類似する構成であってもよい。
【０１１６】
第３及び図８を参照すると、表示パネル１００は、第１〜第３表示領域ＤＡ１、ＤＡ２、ＤＡ３を含んでもよい。
【０１１７】
第３表示領域ＤＡ３の画素密度は、第１表示領域ＤＡ１から、第２表示領域ＤＡ２に向かう方向に沿って、離れるほどに増加するようにすることができる。一実施例において、第３表示領域ＤＡ３は、第１〜第ｋサブ領域ＳＡ１〜ＳＡｋを含んでもよい。
【０１１８】
一実施例において、第１〜第ｋサブ領域ＳＡ１〜ＳＡｋは、それぞれ、２つ以上の画素行を含んでもよい。第１サブ領域ＳＡ１に含まれる各画素行には透過領域ＴＡが第２間隔Ｗ２で配列されて配置され、第２サブ領域ＳＡ２に含まれる各画素行には透過領域ＴＡが第３間隔Ｗ３で配列されて配置されるのであってもよい。第３間隔Ｗ３は第２間隔Ｗ２より大きくてもよい。これにより、同じ映像（データ信号の入力）に対して、第２サブ領域ＳＡ２の輝度が、第１サブ領域ＳＡ１の輝度より高くなることができる。
【０１１９】
一方、第３表示領域ＤＡ３に含まれる、互いに隣接する画素行において、透過領域ＴＡは、互いに第２方向ＤＲ２に連続することがないように形成されてもよい。
【０１２０】
図９は、図１の表示装置の表示領域の一例を概略的に示したものである。
【０１２１】
図９では、図３を参照して説明した構成要素に対して同じ参照符号を使用し、当該構成要素に対する重複説明は省略する。また、図９の表示パネルは、第１及び第３表示領域ＤＡ１、ＤＡ３の平面形状を除き、図３の表示パネルと実質的に同一または類似する構成であってもよい。
【０１２２】
図３及び図９を参照すると、第１表示領域ＤＡ１は、センサ（図１の３００）が配置される領域に重なり合っており、一部の画素行の一部だけを含んでもよい。また、第３表示領域ＤＡ３は、第１表示領域ＤＡ１を取り囲むように位置してもよい。第２表示領域ＤＡ２は第３表示領域ＤＡ３の外郭に位置する。
【０１２３】
第１表示領域ＤＡ１は、長方形や正方形などの多角形、または、少なくとも１つの角部が曲線を含む、角を丸めた多角形であってもよい。第１表示領域ＤＡ１は、図３に示したように、交互に配置される画素領域ＰＡ及び透過領域ＴＡを含んでもよい。
【０１２４】
第３表示領域ＤＡ３は、第１表示領域ＤＡ１を取り囲む一連の画素ＰＸを含む第１サブ領域ＳＡ１と、第１サブ領域ＳＡ１を取り囲む一連の画素ＰＸを含む第２サブ領域ＳＡ２と、第２サブ領域を取り囲む一連の画素ＰＸを含む第３サブ領域ＳＡ３と、を含んでもよい。例えば、第１〜第３サブ領域ＳＡ１、ＳＡ２、ＳＡ３は、第１表示領域ＤＡ１が、第１方向ＤＲ１の両側（左右両側）及び第２方向ＤＲ２の両側（手前側及び奥側の両側）に、順次に拡張されて形成された、それぞれリング状の領域であってもよい。
【０１２５】
図９には、第３表示領域ＤＡ３が３つのリング状のサブ領域ＳＡ１、ＳＡ２、ＳＡ３を含むものが示されているが、サブ領域の形状及び個数はこれに限定されない。
【０１２６】
第１〜第３サブ領域ＳＡ１、ＳＡ２、ＳＡ３は、いずれもが、画素領域ＰＡ及び透過領域ＴＡを含んでもよい。例えば、第１サブ領域ＳＡ１は第１透過領域ＴＡ１を含み、第２サブ領域ＳＡ２は第２透過領域ＴＡ２を含み、第３サブ領域ＳＡ３は第３透過領域ＴＡ３を含んでもよい。
【０１２７】
第１表示領域ＤＡ１における画素領域ＰＡに対する透過領域ＴＡの割合は、第１割合とすることができる。第１サブ領域ＳＡ１における画素領域ＰＡに対する第１透過領域ＴＡ１の割合である第２割合は、第１割合より小さくてもよい。また、第２サブ領域ＳＡ２における画素領域ＰＡに対する第２透過領域ＴＡ２の割合である第３割合は、第２割合より小さくてもよい。同様に、第３サブ領域ＳＡ３における画素領域ＰＡに対する第３透過領域ＴＡ３の割合である第４割合は、第３割合より小さくてもよい。
【０１２８】
また、第１サブ領域ＳＡ１の第１透過領域ＴＡ１は第１表示領域ＤＡ１の境界に沿って形成され、第２サブ領域ＳＡ２の第２透過領域ＴＡ２は第１サブ領域ＳＡ１の境界に沿って形成され、第３サブ領域ＳＡ３の第３透過領域ＴＡ３は第２サブ領域ＳＡ２の境界に沿って形成されてもよい。ここで、第１透過領域ＴＡ１の相互間の間隔は第２透過領域ＴＡ２の相互間の間隔より小さく、第２透過領域ＴＡ２の相互間の間隔は第３透過領域ＴＡ３の相互間の間隔より小さくてもよい。
【０１２９】
従って、第１サブ領域ＳＡ１から第３サブ領域ＳＡ３に行くほど、同じ映像に対する輝度が次第に増加しうる。これにより、第１表示領域ＤＡ１と第２表示領域ＤＡ２との間の急激な輝度偏差の視認を最小化（または緩和）することができる。
【０１３０】
図１０は、図１の表示装置の表示領域の一例を概略的に示したものである。
【０１３１】
図１０では、図９を参照して説明した構成要素に対して同じ参照符号を使用し、当該構成要素に対する重複説明は省略する。また、図１０の表示パネルは、第１及び第３表示領域ＤＡ１、ＤＡ３の平面形状を除き、図９の表示パネルと実質的に同一または類似する構成であってもよい。
【０１３２】
図９及び図１０を参照すると、第１表示領域ＤＡ１は、センサ（図１の３００）が配置される領域に重なり合い、一部の画素行の一部だけを含んでもよい。すなわち、特定の一連の画素行に属するとともに、特定の一連の画素列に属する、ドット(dot)状またはパッチ(patch)状の領域であってもよい。また、第３表示領域ＤＡ３は、第１表示領域ＤＡ１を取り囲むように位置してもよい。第２表示領域ＤＡ２は、第３表示領域ＤＡ３の外郭に位置する。
【０１３３】
第１表示領域ＤＡ１は、円形または楕円形であってもよい。
【０１３４】
第３表示領域ＤＡ３は、第１表示領域ＤＡ１を取り囲む画素ＰＸを含む第１サブ領域ＳＡ１と、第１サブ領域ＳＡ１を取り囲む画素ＰＸを含む第２サブ領域ＳＡ２と、を含んでもよい。第３表示領域ＤＡ３は、第２サブ領域ＳＡ２の外側に拡張される更なるサブ領域をさらに含んでもよい。
【０１３５】
第１サブ領域ＳＡ１の画素領域ＰＡに対する第１透過領域ＴＡ１の割合が第２サブ領域ＳＡ２の画素領域ＰＡに対する第２透過領域ＴＡ２の割合より大きいため、第１表示領域ＤＡ１から第２表示領域ＤＡ２に近づくほど、同じ映像に対する輝度が次第に増加するようにすることができる。これにより、第１表示領域ＤＡ１と第２表示領域ＤＡ２との間の急激な輝度偏差の視認を最小化（または緩和）することができる。
【０１３６】
上述したように、本発明の実施例による表示装置は、第１表示領域ＤＡ１の下部に光検知方式のセンサ（図１の３００）を含み、第１表示領域ＤＡ１との相対的な距離に応じて画素密度が変わる第３表示領域ＤＡ３を含むことにより、第１表示領域ＤＡ１と第２表示領域ＤＡ２との間の急激な輝度偏差の視認を最小化（または緩和）することができる。従って、カメラや生体センサの機能を具現するとともに前面ディスプレイを具現する表示装置についての映像品質が改善されうる。
【０１３７】
以上、本発明の実施例を参照して説明したが、当該技術分野の熟練した当業者は、添付の特許請求の範囲に記載された本発明の思想及び領域から外れない範囲内で本発明を多様に修正及び変更できることが理解できるだろう。
【０１３８】
本発明の一の好ましい実施形態によると、下記のとおりである。
【０１３９】
本件の背景及び課題は下記(i)〜(iv)のとおりである。
(i) KR10-2017-0113066A（特許文献１）などによると、特にはスマートフォンなどのモバイル機器用の表示パネルにて、一方の端部の背面側に、カメラや光学センサなどを配置している。
【０１４０】
(ii) 特には、KR10-2017-0113066A（特許文献１）の図10a〜10b及び11〜13などによると、表示パネルに貫通孔を開ける必要をなくすために、カメラや光学センサと重なる領域にて、光を透過する領域10242,11242,12242,13242を配置する。
【０１４１】
(iii) 具体的には、光を透過する領域10242,11242,12242,13242と、画素領域10241,11241,12241,13241とを、交互に配置し、チェックパターンをなすようにしている。そのため、カメラや光学センサと重なる領域では、例えば約５０％が光透過領域となり、画素の配置密度、及び、表示画像の輝度が、他の領域の輝度の約５０％となりうる。
【０１４２】
(iv) したがって、表示パネルの前面の表示面にて、カメラや光学センサと重なる低画素密度領域（本願図３及び９〜１０の第１表示領域ＤＡ１）と、これに隣接する通常領域（本願図３及び９〜１０の第２表示領域ＤＡ２）との間で、輝度の段差が生じる。
そのため、特には精細度が非常に高い場合、ユーザーに、この段差が視認されてしまうという問題が生じるおそれがある。
【０１４３】
そこで、本件発明者は、上記問題を解決するとともに、製造コストの増加などの問題が生じないようにすべく、輝度の段差を消すか、または緩和するための移行領域（本願図３及び９〜１０の第３表示領域ＤＡ３）を配置することを考えた。
【０１４４】
具体的には、下記Ａ１〜Ａ４のとおりの方策を見いだした。
【０１４５】
Ａ１  カメラや光学センサと重なる低画素密度領域（ＤＡ１）と、通常領域（ＤＡ２）との間に、帯状またはリング状に、移行領域（ＤＡ３）を配置する。
【０１４６】
Ａ２  移行領域（ＤＡ３）では、表示画素（ＰＸ）の密度について、低画素密度領域（ＤＡ１）に隣接する箇所から、通常領域（ＤＡ２）に隣接する箇所へと、徐々に、または段階的に増大していくようにする。
【０１４７】
Ａ３  移行領域（ＤＡ３）では、縞（しま）模様などが現れないようにするために、一つの表示画素（ＰＸ）画素を省いた画素省略部が、データ線方向DR1及び走査線方向DR2のいずれにも、互いに連続しないようにする。
【０１４８】
Ａ４  ここで、移行領域（ＤＡ３）における各画素省略部の寸法は、低画素密度領域（ＤＡ１）におけると同様に、実質上、各表示画素（ＰＸ）の寸法と同一とする。
【０１４９】
特には、本願図３及び８〜１１に示されるように、下記Ｂ１〜Ｂ４またはＢ１〜Ｂ５とするか、または、下記Ｃ１〜Ｃ２とすることができる。
また、特に、下記Ｄ１〜Ｄ２とすることができる。
【０１５０】
Ｂ１  移行領域（ＤＡ３）には、画素省略部が、斜めに連続するか、または、破線(dashed line)状もしくは点線(dotted line)状に続くことにより形成された、直線状、または湾曲状（例えば楕円弧状または円弧状）の枝を含む。
【０１５１】
Ｂ２  直線状または湾曲状の枝は、低画素密度領域（ＤＡ１）に接する箇所から、通常領域（ＤＡ２）へと向かって、斜めに延びる。
【０１５２】
Ｂ３  一の画素省略部に対して、その次の一の画素省略部が、１〜３画素分だけ、データ線方向の一方の側（例えばデータ線方向右側DR1）、及び、走査線方向の一方の側（例えば走査線方向の手前の側DR2）にずれて位置する。このようにして、順次にずれるようにして、一つの直線状または湾曲状の枝をなす。
【０１５３】
Ｂ４  直線状または湾曲状の枝は、低画素密度領域（ＤＡ１）との境界に沿って、互いに隣り合って位置する複数本の中で、延びる長さに段差がある。
すなわち、例えば、通常領域（ＤＡ２）との境界の近傍にまで延びる１番目に長いもの、２番目に長いもの、及び、３番目に長いものを含む。
【０１５４】
このようにして、上記Ａ２のように、画素密度が、通常領域（ＤＡ２）へと向かって徐々に、または、段階的に増大していくようにする。
なお、低画素密度領域（ＤＡ１）に接する箇所にある、一つだけの画素省略部によっても、便宜上、最も短い枝が形成されているとすることができる（本願図３及び９〜１０）。
【０１５５】
Ｂ５  一つの直線状または湾曲状の枝の中で、画素省略部の相互間の間隔が、通常領域（ＤＡ２）へと向かって徐々に、または、段階的に増大していくようにすることができる。
【０１５６】
例えば、本願図１１に示すように、下記(1)〜(3)のように配置することができる。
(1) 低画素密度領域（ＤＡ１）に最も近い領域（ＳＡ１）では、一の画素省略部に対して、その次の一の画素省略部が、１画素分だけデータ線方向（DR1）にずれるともに、１画素分だけ走査線方向（DR2）にずれることで、斜めに連続する。
(2) 低画素密度領域（ＤＡ１）に２番目に近い領域（ＳＡ２）では、一の画素省略部に対して、その次の一の画素省略部が、１画素分だけデータ線方向（DR1）にずれるともに、２画素分だけ走査線方向（DR2）にずれる。
(3) 低画素密度領域（ＤＡ１）に３番目に近い領域（ＳＡ３）、すなわち、通常領域（ＤＡ２）に接する領域では、一の画素省略部に対して、その次の一の画素省略部が、１画素分だけデータ線方向（DR1）にずれるともに、３画素分だけ走査線方向（DR2）にずれる。
【０１５７】
Ｃ１  帯状またはリング状の移行領域（ＤＡ３）は、低画素密度領域（ＤＡ１）から、通常領域（ＤＡ２）の側へと、順に並ぶ、複数の帯状またはリング状のサブ領域（ＳＡ１〜ＳＡｋ）に分けられる。
【０１５８】
Ｃ２  表示画素（ＰＸ）の配置密度は、サブ領域（ＳＡ１〜ＳＡｋ）ごとに設定される。
このようにして、上記Ａ２のように、画素密度が、通常領域（ＤＡ２）へと向かって徐々に、または、段階的に増大していくようにする。
【０１５９】
Ｄ１  画素省略部は、低画素密度領域（ＤＡ１）内と同様に透過領域（ＴＡ）によって形成するか、または、常時に黒表示を行うダミー画素（ブラック画素ＢＰ）によって形成することができる。
【０１６０】
Ｄ２  黒表示を行うダミー画素（ブラック画素ＢＰ）は、画素電極と、走査線及び／またはデータ線との連結が切れたものであっても良く、また、データ駆動部３０から、常時、ブラックデータ信号（ブラックデータ電圧）を受信するのであっても良い。
【０１６１】
このような黒表示のダミー画素（ブラック画素ＢＰ）を用いるならば、通常領域（ＤＡ２）と同様の構造となる。そのため、製造時に微細な各領域での工程条件を均一に保つことができ、また、封止膜の厚さも均一にすることができるなど、工程や製品の管理上、透過領域（ＴＡ）を形成するよりも、好ましい。
また、移行領域（ＤＡ３）の背面側に、金属面など、光反射性の部材を配置しても支障がない。
【符号の説明】
【０１６２】
２０  走査駆動部
３０  データ駆動部
４０  タイミング制御部
１００  表示パネル
２００  基板
３００  センサ
１０００、１００１  表示装置
ＤＡ１  第１表示領域
ＤＡ２  第２表示領域
ＤＡ３  第３表示領域
ＰＸ  画素
ＰＡ  画素領域
ＴＡ  透過領域
ＳＡ１〜ＳＡｋ  サブ領域
ＢＰ  ブラック画素
【図１】
2020204762.tif 000003
【図２】
2020204762.tif 000004
【図３】
2020204762.tif 000005
【図４ａ】
2020204762.tif 000006
【図４ｂ】
2020204762.tif 000007
【図５】
2020204762.tif 000008
【図６ａ】
2020204762.tif 000009
【図６ｂ】
2020204762.tif 000010
【図７ａ】
2020204762.tif 000011
【図７ｂ】
2020204762.tif 000012
【図８】
2020204762.tif 000013
【図９】
2020204762.tif 000014
【図１０】
2020204762.tif 000015
【図１１】
2020204762.tif 000016